(57)【要約】      （修正有）【課題】強度を向上させて被収納物を筒状体の内部に確実に保持することができるとともに、機械での組み立ての適性向上を図ったカートンブランクを提供する。【解決手段】物品保持手段１０は、両側壁２Ｂ、２Ｃの端縁に折曲可能に連設され、筒状体７の内部方向に折曲される折返し片と、折返し片に折曲可能に連設されるとともに両側壁２Ｂ、２Ｃに隣位する頂壁２Ａの端縁に折曲可能に連設され、被収納物Ｄの一部分を被覆する被覆片１５とを有する。折返し片１２における被覆片１５が連設された端縁に、被覆片１５の方向に突出し、突出した部分が切込み線２０によって形成される突出部２１が設けられ、折返し片１２は、突出部２１とともに筒状体７の内部方向に折曲されて、突出部２１の外面が開口８に臨む位置に収納された被収納物Ｄの周面に対向するように組み立てられる。【選択図】図２
0003179070.tif 000002
【実用新案登録請求の範囲】
【請求項１】
頂壁、１対の側壁および底壁をそれぞれ構成する各壁パネルが１列に配され、前記各壁パネルによって両端が開口され内部に被収納物を収納する筒状体を形成するようになっており、前記各壁パネルにおける前記筒状体を形成したときの前記開口側の端縁に、前記被収納物を前記筒状体の内部に保持する物品保持手段が連設されたカートンブランクにおいて、
前記物品保持手段は、前記各壁パネルのうち少なくとも１つの第１壁パネルの端縁に折曲可能に連設されて、前記筒状体の内部方向に折曲される折返し片と、前記折返し片に折曲可能に連設されるとともに前記第１壁パネルに隣位する壁パネルの端縁に折曲可能に連設され、前記被収納物の一部分を被覆する被覆片とを有し、
前記折返し片における前記被覆片が連設された端縁に、前記被覆片の方向に突出し、突出した部分が切込み線によって形成される少なくとも１つの突出部が設けられており、
前記折返し片が、前記突出部とともに前記筒状体の内部方向に折曲されて、前記突出部の外面が前記開口に臨む位置に収納された前記被収納物の周面に対向するように組み立てられることを特徴とするカートンブランク。
【請求項２】
前記折返し片は、前記各壁パネルのうち両側壁を構成する両壁パネルの両側縁に連設されていることを特徴とする請求項１に記載のカートンブランク。
【請求項３】
前記被覆片は、前記折返し片の一端縁に設けられ、前記被覆片は、前記第１壁パネルに隣位する第２壁パネルに連設されていることを特徴とする請求項１または請求項２に記載のカートンブランク。
【請求項４】
前記被覆片は、前記折返し片の両端縁にそれぞれ設けられ、前記両被覆片のうち一方の被覆片は、前記第１壁パネルの一側縁に連設されている壁パネルに連設され、他方の被覆片は、前記第１壁パネルに他側縁に連設されている壁パネルに連設されることを特徴とする請求項１または請求項２に記載のカートンブランク。
【請求項５】
頂壁、一対の側壁、および底壁をそれぞれ構成する各壁パネルが順次連設され、両端に開口を備えて、内部に複数の収納物を収納する筒状体と、前記筒状体における前記開口側の端縁に設けられ、前記各被収納物を筒状体の内部に保持する物品保持手段とを有するカートンにおいて、
前記物品保持手段は、前記各壁パネルのうち少なくとも１つの第１壁パネルの端縁に折曲可能に連設されて、前記筒状体の内部方向に折曲される折返し片と、前記折返し片の端縁に折曲可能に連設されるとともに前記第１壁パネルに隣位する壁パネルの端縁に折曲可能に連設され、前記被収納物の一部分を被覆する被覆片とを有し、
前記折返し片における前記被覆片が連設された端縁に、前記被覆片から遠ざかる方向に突出する少なくとも１つの突出部が前記折返し片と一体に設けられ、前記突出部は、前記折返し片の開放端部から離間した位置に形成されており、
前記折返し片は、前記突出部の外面が前記開口に臨む位置に収納された前記被収納物の周面に対向するように、前記突出部とともに前記筒状体の内部方向に折曲されていることを特徴とするカートン。
【考案の詳細な説明】
【技術分野】
【０００１】
本考案は、両端が開口された筒状体を有し、筒状体の内部に被収納物を収納可能なカートンを形成するカートンブランクおよびカートンに関する。
【背景技術】
【０００２】
従来より、両端が開口された筒状体の内部に複数の缶等の被収納物をまとめて収納するカートンが、複数の物品の保管・運搬の容易性等の観点から用いられている。
【０００３】
従来のカートンは、例えば特許文献１の特に図１および図３に示すように、頂壁と一対の側壁と底壁とを有し、両端が開口された筒状体を備えており、筒状体の開口側の端縁には、被収納物を筒状体の内部に保持する物品保持手段が連設されている。物品保持手段は、頂壁の端縁に連設された頂部被覆片と、頂部被覆片に折曲線を介して連設された第１側方被覆片と、第１側方被覆片に折曲線を介して連設された第２側方被覆片と、第２側方被覆片に折曲線および切断線を介して連設されるとともに側壁の端縁に連設された折返し片とを有している。そして、物品保持手段は、頂部被覆片と第１側方被覆片との間の折曲線、および第１側方被覆片と第２側方被覆片との間の折曲線をいずれも山折りにし、第２側方被覆片と折返し片との間の折曲線を谷折りにするとともに、折返し片を筒状体の内部方向に折曲することにより、筒状体における開口に臨む位置に収納された被収納物の上端部を被覆して、被収納物を筒状体の内部に保持するようになっている。
【先行技術文献】
【特許文献】
【０００４】
【特許文献１】特開２００３−３４３５４号公報
【考案の概要】
【考案が解決しようとする課題】
【０００５】
しかし、前述の従来の物品保持手段を備えたカートンによれば、被収納物によって第２側方被覆片に筒状体の外部方向への大きな負荷が加わると、筒状体の内部に折曲された折返し片が筒状体の外部に抜け出てしまうおそれがあった。そして、このように折返し片が抜け出てしまうと、物品保持手段は被収納物を筒状体の内部に保持することができず、被収納物が筒状体の内部から落下してしまうという問題を有していた。
【０００６】
また、前述の従来の物品保持手段を備えたカートンにおいては、筒状体の開口に臨む位置に収納された被収納物の周面によって押さえる折返し片の面積を大きくして、折返し片が筒状体の内部から抜け出てしまうことを防止するため、折返し片と第２側方被覆片との境界に、側壁、頂壁および物品保持手段の接点から物品保持手段の開放端縁から離間した位置まで形成された折曲線と、折曲線の端部から第２側方被覆片側に屈曲し物品保持手段の開放端縁に至る切断線が形成されている。しかし、この従来の物品手段を備えたカートンによれば、被収納物によって第２側方被覆片に筒状体の外部方向への大きな負荷が加わると、第２側方被覆片と折返し片との間に形成された切断線を起点として折返し片が破断してしまうおそれがあった。そして、このように折返し片が破断してしまうと、結局物品保持手段は被収納物を筒状体の内部に保持することができず、被収納物が筒状体の内部から落下してしまうという問題を有していた。
【０００７】
また、この従来のカートンを構成するカートンブランクによって筒状体の内部に被収納物を収納するにあたり、カートンブランクの組み立ての高速化等を目的として、機械によって組み立てることが行われている。このように機械によってカートンブランクを組み立てる際、第２側方被覆片と折返し片との間の折曲線を谷折りするように押圧部材によって押圧して、折返し片を筒状体の内部方向に折曲するようになっている。この第２側方被覆片と折返し片との間の折曲線を押圧部材によって機械的に押圧する際、折返し片と第２側方被覆片との連結部分が短いと、押圧部材によって押圧する対象が狭くて押圧が困難であり、さらに、第２側方被覆片と折返し片との間に形成された切断線の側壁側の端部を起点として折返し片が破断してしまうおそれもあった。このため、前述のカートンを構成するカートンブランクは、機械での組み立ての適性があまりよくないという問題を有していた。
【０００８】
本考案はこれらの点に鑑みてなされたものであり、強度を向上させて被収納物を筒状体の内部に確実に保持することができるとともに、機械での組み立ての適性の向上を図るカートンブランクおよびカートンを提供することを目的とする。
【課題を解決するための手段】
【０００９】
前記目的を達成するため、本考案に係るカートンブランクの特徴は、頂壁、１対の側壁および底壁をそれぞれ構成する各壁パネルが１列に配され、前記各壁パネルによって両端が開口され内部に被収納物を収納する筒状体を形成するようになっており、前記各壁パネルにおける前記筒状体を形成したときの前記開口側の端縁に、前記被収納物を前記筒状体の内部に保持する物品保持手段が連設されたカートンブランクであって、前記物品保持手段は、前記各壁パネルのうち少なくとも１つの第１壁パネルの端縁に折曲可能に連設されて、前記筒状体の内部方向に折曲される折返し片と、前記折返し片に折曲可能に連設されるとともに前記第１壁パネルに隣位する壁パネルの端縁に折曲可能に連設され、前記被収納物の一部分を被覆する被覆片とを有し、前記折返し片における前記被覆片が連設された端縁に、前記被覆片の方向に突出し、突出した部分が切込み線によって形成される少なくとも１つの突出部が設けられており、前記折返し片が、前記突出部とともに前記筒状体の内部方向に折曲されて、前記突出部の外面が前記開口に臨む位置に収納された前記被収納物の周面に対向するように組み立てられる点にある。
【００１０】
この本考案に係るカートンブランクによれば、折返し片の突出部も被収納物の周面に当接することとなるので、被収納物の周面に当接する折返し片の面積を広くすることができる。これにより、本考案に係るカートンブランクによれば、折返し片が筒状体の外部に抜け出てしまったり、容易に破断してしまうことを防止可能なカートンを形成することができる。また、突出部は、折返し片の開放端部から離間した位置に形成されており、物品保持手段の開放端縁に切込み線が至ることがないので、切込み線を基端として折返し片が容易に破断してしまうことを防止可能なカートンを形成することができる。
【００１１】
また、前記カートンにおいて、前記折返し片は、前記各壁パネルのうち両側壁を構成する両壁パネルの両側縁に連設されているとよい。これにより、本考案に係るカートンブランクによって形成されるカートンに被収納物として缶を収納する場合に、缶の周面によって突出部が形成された折返し片を確実に押さえることができる。
【００１２】
さらに、前記被覆片は、前記折返し片の一端縁に設けられ、前記被覆片は、前記第１壁パネルに隣位する第２壁パネルに連設されていてもよく、または、前記折返し片の両端縁にそれぞれ設けられ、前記両被覆片のうち一方の被覆片は、前記第１壁パネルの一側縁に連設されている壁パネルに連設され、他方の被覆片は、前記第１壁パネルに他側縁に連設されている壁パネルに連設されていてもよい。
【００１３】
また、本考案に係るカートンの特徴は、頂壁、一対の側壁、および底壁をそれぞれ構成する各壁パネルが順次連設され、両端に開口を備えて、内部に複数の収納物を収納する筒状体と、前記筒状体における前記開口側の端縁に設けられ、前記各被収納物を筒状体の内部に保持する物品保持手段とを有するカートンにおいて、前記物品保持手段は、前記各壁パネルのうち少なくとも１つの第１壁パネルの端縁に折曲可能に連設されて、前記筒状体の内部方向に折曲される折返し片と、前記折返し片の端縁に折曲可能に連設されるとともに前記第１壁パネルに隣位する壁パネルの端縁に折曲可能に連設され、前記被収納物の一部分を被覆する被覆片とを有し、前記折返し片における前記被覆片が連設された端縁に、前記被覆片から遠ざかる方向に突出する少なくとも１つの突出部が前記折返し片と一体に設けられ、前記突出部は、前記折返し片の開放端部から離間した位置に形成されており、前記折返し片は、前記突出部の外面が前記開口に臨む位置に収納された前記被収納物の周面に対向するように、前記突出部とともに前記筒状体の内部方向に折曲されている点にある。
【００１４】
この本考案に係るカートンによれば、折返し片の突出部も被収納物の周面に当接することとなるので、被収納物の周面に当接する折返し片の面積を広くすることができる。これにより、本考案に係るカートンは、折返し片が筒状体の外部に抜け出てしまったり、容易に破断してしまうことを防止することができる。また、突出部は、折返し片の開放端部から離間した位置に形成されており、物品保持手段の開放端縁に切込み線が至ることがないので、切込み線を基端として折返し片が容易に破断してしまうことを防止することができる。
【考案の効果】
【００１５】
以上述べたように、本考案に係るカートンブランクおよびカートンによれば、被収納物の周面に当接する折返し片の面積を広くすることにより、被収納物の周面によって突出部が形成された折返し片を確実に押さえて、折返し片が筒状体の外部に抜け出てしまうことを防止することができとともに、折返し片が容易に破断してしまうことを防止することができるので、カートンの強度が向上し、被収納物を筒状体の内部に確実に保持することができる。
【００１６】
また、本考案に係るカートンブランクおよびカートンによれば、折返し片の突出部は、物品保持手段における開放端縁から離間した位置に形成されているので、カートンブランクの組み立て時に、押圧部材によって折返し片および被覆片の間に位置する折曲線を谷折りするように押圧するにあたり、折返し片と被覆片との間の押圧可能な連結部分を広く形成することができる。また、本考案に係るカートンブランクおよびカートンによれば、この押圧動作によって折返し片を従来のように破断させることなく、内部方向に折曲することができる。これにより、機械での組み立て適性が向上することとなる。
【図面の簡単な説明】
【００１７】
【図１】本考案に係るカートンブランクの一実施形態を示す平面図
【図２】図１に示すカートンブランクによって形成したカートンを示す斜視図
【図３】図２に示すカートンの内部の要部を示す側面断面図
【図４】本考案に係るカートンブランクの他の実施形態を示す平面図
【図５】図４に示すカートンブランクによって形成したカートンの内部の要部を示す側面断面図
【考案を実施するための形態】
【００１８】
以下、本考案に係るカートンブランクおよびカートンの実施形態を、図１乃至図５を参照して説明する。
【００１９】
ここで、下記の実施形態においては、カートンに収納される被収納物として、円形状の頂面と円形状の底面と前記頂面および前記底面に連設された側面とによって全体形状がほぼ円筒形状となるように形成される缶を用いて説明する。
【００２０】
図１は、本考案に係るカートンブランクの一実施形態を示す平面図であり、図２は、図１に示すカートンブランクにより形成した本考案に係るカートンを示す斜視図である。
【００２１】
図１に示すように、本考案に係るカートンブランク１は、頂壁２Ａ、一対の側壁２Ｂ、２Ｃ、および底壁２Ｄを構成する各壁パネル２を有しており、底壁２Ｄは、一対の底板２Ｄａ、２Ｄｂを連結することにより構成されるようになっている。
【００２２】
各壁パネル２は、一列に配されており、一方の底板２Ｄａの一側縁には、一方の側壁２Ｂが連設され、一方の側壁２Ｂ（第１壁パネル２）の一側縁には、折曲線５を介して頂壁２Ａが連設され、頂壁２Ａの一側縁には、折曲線６を介して他方の側壁２Ｃが連設され、他方の側壁２Ｃの一側縁には、他方の底板２Ｄｂが連設されている。そして、カートンブランク１は、両底板２Ｄａ、２Ｄｂが連結されて底壁２Ｄを構成することにより、図２に示すように、カートン９を構成する筒状体７を形成するようになっている。筒状体７の両端には開口８が形成され、筒状体７の内部には複数の被収納物Ｄが収納されるようになっており、筒状体７における開口８側の端縁には、被収納物Ｄを筒状体７の内部に保持する物品保持手段１０が設けられている。
【００２３】
物品保持手段１０は、両側壁２Ｂ、２Ｃの両端縁における頂壁２Ａ側の一部分に折曲線１１を介して折曲可能に連設され、筒状体７の内部方向に折曲される三角形状の折返し片１２と、折返し片１２の一側縁に折曲線１３を介して折曲可能に連設され、被収納物Ｄの周面における上端部分を被覆する三角形状の被覆片１５とを有している。被覆片１５には、側壁２Ｂ、２Ｃおよび頂壁２Ａ側から物品保持手段１０の開口端縁に至るように折曲線１６が設けられている。また、頂壁２Ａの両端縁における両側壁２Ｂ、２Ｃ側の一部分には、被収納物Ｄの上面を被覆する被覆壁１７が頂壁２Ａと一体に形成されており、被覆片１５は、被覆壁１７に折曲線１８を介して折曲可能に連設されている。
【００２４】
各折返し片１２における各被覆片１５が連設されている側縁には、折返し片１２から被覆片１５の方向に突出し、突出した部分が切込み線２０によって形成される突出部２１が設けられている。突出部２１は、物品保持手段１０の開放端部から離間した位置に、折返し片１２と一体に形成されている。本実施形態においては、突出部２１は、折返し片１２および被覆片１５の境界部におけるほぼ中央部分に形成され、切込み線２０の両側には、それぞれ折返し片１２および被覆片１５の間に位置する折曲線１３が配置されている。これにより、折返し片１２および被覆片１５の境界部は、突出部２１を形成する切込み線２０、および折返し片１２と被覆片１５との間に位置する折曲線１３が形成されている。そして、図３に示すように、折返し片１２は、カートンブランク１の組み立て時において、突出部２１の外面が開口８に臨む位置に収納された被収納物Ｄの周面に対向するように、突出部２１とともに筒状体７の内部方向に折曲されるようになっている。
【００２５】
また、被覆片１５は、カートンブランク１の組み立て時において、開口８に臨む位置に収納された被収納物Ｄの周面における上端部分を被覆するように、折返し片１２と被覆片１５の間に位置する折曲線１３が谷折りされるようになっている。
【００２６】
頂壁２Ａの中央部分には、筒状体７の内部に押し込むように折曲されることにより指挿入孔を構成する一対の折曲片２５が設けられている。両折曲片２５は、折曲線２６と、この折曲線２６の両端部に連結された円弧状の切込み線２７とによって構成されており、頂壁２Ａの側縁に沿う方向に並列し、それぞれ折曲線２６が対向するように配置されている。
【００２７】
頂壁２Ａにおける両折曲片２５よりも両側縁側には、頂壁２Ａの一端縁から他端縁に向かって延びる一対の断続切断線２９、２９が、両折曲片２５を間に挟んで位置するように形成されており、頂壁２Ａにおける両断続切断線２９、２９の間に位置する部分は切取パネル３０とされている。そして、この切取パネル３０は、頂壁２Ａの一端縁部分を基端として頂壁２Ａの他端方向に引っ張られることにより、両切断線を介して頂壁２Ａから切り離し可能とされている。
【００２８】
両底板２Ｄａ、２Ｄｂのうち一方の底板２Ｄａにおける一方の側壁２Ｂと反対側の側縁部分には、複数の「きのこ」状の連結タブ３１が、側縁に沿って所定の間隔を隔ててそれぞれ切込み線３２により形成されており、各連結タブ３１の側壁２Ｂ側の部分は、折曲線３３を介して一方の底板２Ｄａに連結されている。また、他方の底板２Ｄｂにおける各連結タブ３１に対応する位置には、ほぼ長方形状のタブ嵌合開口３５がそれぞれ切込み線３６により形成されており、各タブ嵌合開口３５の他方の側壁２Ｃ側の部分は、他方の底板２Ｄｂに連設されている。そして、カートンブランク１の組み立て時において、各連結タブ３１を各タブ嵌合開口３５に嵌合させることにより、両底板２Ｄａ、２Ｄｂを連結してカートンの底壁２Ｄを構成するようになっている。
【００２９】
なお、両底板２Ｄａ、２Ｄｂの接続手段は、本実施形態の接続手段に限定されるものではなく、例えば、各底板２Ｄａ、２Ｄｂの他側縁を接着材等により接着してもよい。また、本実施形態においては、底壁２Ｄが一対の底板２Ｄａ、２Ｄｂにより構成されているが、本考案はこれに限定されず、例えば、頂壁２Ａを一対の頂板により構成するようにしてもよい。
【００３０】
一方の底板２Ｄａの一側縁には、傾斜壁３７が折曲可能に連設され、傾斜壁３７は一方の側壁２Ｂ、２Ｃに折曲可能に連設されている。また、他方の側壁２Ｃの一側縁には、傾斜壁３８が折曲可能に連設され、傾斜壁３８は他方の底板２Ｄｂと折曲可能に連設されている。これにより、両側壁２Ｂ、２Ｃは、それぞれ傾斜壁３７、３８を介して底板２Ｄａ、２Ｄｂにそれぞれ連設されている。
【００３１】
それぞれの傾斜壁３７、３８から隣位する側壁２Ｂ、２Ｃにかけてカートンブランク１によってカートン９を形成したときに各被収納物Ｄの下端部分が対向する位置には、保持開口３９が形成されている。また、各保持開口３９に臨む位置には、隣位する底板２Ｄａ、２Ｄｂと折曲線４０を介して連設された保持タブ４１が設けられている。そして、カートンブランク１の組み立て時において、各保持開口３９は、各被収納物Ｄの下端部分の一部が嵌合されるとともに、各保持タブ４１は、各被収納物Ｄの底面に係止されるようになっている。
【００３２】
次に、本実施形態に係るカートンブランク１により形成されたカートン９について説明する。
【００３３】
図２に示すように、本実施形態に係るカートン９は、一方の底板２Ｄａの各連結タブ３１が、他方の底板２Ｄｂのタブ嵌合開口３５に嵌合されて両底板２Ｄａ、２Ｄｂを連結されることにより、頂壁２Ａ、一対の側壁２Ｂ、２Ｃ、および底壁２Ｄが順次連設されて両端に開口８が形成された筒状体７を有している。
【００３４】
図３に示すように、物品保持手段１０は、側壁２Ｂ、２Ｃおよび折返し片１２の間に位置する折曲線１１が山折りされ、折返し片１２および被覆片１５の間に位置する折曲線１８が谷折りされている。これにより、折返し片１２は、筒状体７の内部方向に折曲され、折返し片１２の外面の一部分が、直接、開口８に臨む位置に収納された被収納物Ｄの周面に当接するようになっているとともに、折返し片１２の外面の他部分が被覆片１５を介して被収納物Ｄの周面に当接するようになっている。また、折返し片１２の突出部２１は、一体に形成されている折返し片１２とともに筒状体７の内部方向に折曲されることにより、被覆片１５から遠ざかる方向に突出して配置され、外面が開口８に臨む位置に収納された被収納物Ｄの周面に対向して配置される。これにより、突出部２１は、側壁２Ｂ、２Ｃと被収納物Ｄの周面とによって挟持されるようになっている。さらに、被覆片１５は、折返し片１２と被覆片１５との間に位置する折曲線１３が谷折りされて、筒状体７の開口８に臨む位置に収納された被収納物Ｄの周面の上端部分を被覆するようになっている。これにより、物品保持手段１０は、筒状体７の開口８に臨む位置に収納された被収納物Ｄの上端部分を支持して、被収納物Ｄを筒状体７の内部に保持するようになっている。
【００３５】
続いて、本実施形態に係るカートンブランク１を組み立て機械を用いて組み立てて、筒状体７の内部に被収納物Ｄが収納されたカートン９を形成する工程の一例を説明する。
【００３６】
まず、頂壁２Ａの内面上に被収納物Ｄの上面が対向するように所定の位置に配置する。この状態で、頂壁２Ａおよび両側壁２Ｂ、２Ｃの間に位置する折曲線５、６を山折りにするとともに、折返し片１２および被覆片１５の間に位置する折曲線１３が谷折りされるように図示しない押圧部材によって押圧し、折返し片１２の内面が側壁２Ｂ、２Ｃの内面に対向している状態とする。これにより、折返し片１２の外面の一部分を直接被収納物Ｄの周面に当接させ、かつ折返し片１２の外面における他部分を被覆片１５の一部を介して被収納物Ｄの周面に当接させるとともに、突出部２１の外面を被収納物Ｄの周面に当接させる。
【００３７】
続いて、傾斜壁３７、３８と側壁２Ｂ、２Ｃとの間に位置する折曲線４５、４６および傾斜壁３７、３８と底板２Ｄａ、２Ｄｂとの間に位置する折曲線４７、４８を山折りにして、被収納物Ｄの下端部分の一部を保持開口３９に嵌合させながら、底板２Ｄａ、２Ｄｂの内面を被収納物Ｄの下面に対向させた後、連結タブ３１をタブ嵌合開口３５に嵌合させて両底板２Ｄａ、２Ｄｂを連結する。さらに、保持タブ４１を筒状体７の内部方向に折曲し、保持タブ４１の先端縁を被収納物Ｄの下面に当接させて、保持タブ４１によって被収納物Ｄの下面を支持する。これにより、筒状体７の内部に被収納物Ｄが収納されたカートンが形成される。
【００３８】
次に、本実施形態の作用について説明する。
【００３９】
本実施形態によれば、折返し片１２における被覆片１５が連設される側縁に突出部２１を設け、折返し片１２を突出部２１とともに筒状体７の内部方向に折曲することにより、折返し片１２の突出部２１も被収納物Ｄの周面に当接することとなるので、被収納物Ｄの周面に当接する折返し片１２の面積を広くすることができる。また、突出部２１は、折返し片１２の開放端部から離間した位置に形成されており、物品保持手段１０の開放端縁に切込み線が形成することなく、折返し片１２の面積を広くすることができ、折返し片１２が容易に破断してしまうことを防止することができる。
【００４０】
したがって、本実施形態によれば、被収納物Ｄの周面に当接する折返し片１２の面積を広くすることにより、被収納物Ｄの周面によって突出部２１が形成された折返し片１２を確実に押さえて、折返し片１２が筒状体７の外部に抜け出てしまうことを防止することができとともに、折返し片１２が容易に破断してしまうことを防止することができるので、カートンの強度が向上し、被収納物Ｄを筒状体７の内部に確実に保持することができる。
【００４１】
また、本実施形態によれば、折返し片１２の突出部２１は、物品保持手段１０における開放端縁から離間した位置に形成されているので、カートンブランク１の組み立て時に、押圧部材によって折返し片１２および被覆片１５の間に位置する折曲線１３を谷折りするように押圧するにあたり、折返し片１２と被覆片１５との間の押圧可能な連結部分を広く形成することができ、またこの押圧動作によって折返し片１２を従来のように破断させることなく、内部方向に折曲することができる。これにより、本実施形態に係るカートンブランク１は、機械での組み立て適性が向上することとなる。
【００４２】
続いて、本考案に係るカートンブランク１およびカートンの第２の実施形態を図４および図５を参照して説明する。ここで、第２の実施形態について、第１の実施形態と同様の構成については、第１の実施形態と同一の符号を用い、詳説を省略する。
【００４３】
図４に示すように、第２の実施形態に係るカートンブランク１における物品保持手段１０は、両側壁２Ｂ、２Ｃの両端縁に折曲線１１を介して折曲可能に連設され、筒状体７の内部方向に折曲される台形状の折返し片１２と、折返し片１２の両側縁に、それぞれ折曲線１３を介して折曲可能に連設され、被収納物Ｄの周面における上端部分および下端部分を被覆するほぼ三角形状の被覆片１５とを有している。被覆片１５は、頂壁２Ａおよび両底板２Ｄａ、２Ｄｂに形成された被覆壁１７に折曲線１８を介して折曲可能に連設されている。
【００４４】
各折返し片１２の側縁には、折返し片１２から被覆片１５の方向に突出し、突出した部分が切込み線２０によって形成される２つの突出部２１が設けられている。各突出部２１は物品保持手段１０の開放端部から離間した位置に所定の間隙をもって並列され、折返し片１２と一体に形成されている。そして、図５に示すように、折返し片１２は、カートンブランク１の組み立て時において両突出部２１の外面が開口８に臨む位置に収納された被収納物Ｄの周面に対向するように、突出部２１とともに筒状体７の内部方向に折曲されるようになっている。
【００４５】
次に、本実施形態に係るカートンブランク１により形成されたカートン９について説明する。
【００４６】
図５に示すように、物品保持手段１０は、側壁２Ｂ、２Ｃおよび折返し片１２の間に位置する折曲線１１が山折りされ、折返し片１２および被覆片１５の間に位置する折曲線１３が谷折りされている。これにより、折返し片１２は、筒状体７の内部方向に折曲され、折返し片１２の外面の位置部分が直接開口８に臨む位置に収納された被収納物Ｄの周面に当接するようになっているとともに、外面の他部分が被覆片１５を介して被収納物Ｄの周面に当接するようになっている。また、折返し片１２の両突出部２１は、一体に形成されている折返し片１２とともに筒状体７の内部方向に折曲され、外面が開口８に臨む位置に収納された被収納物Ｄの周面に対向するようになっている。さらに、被覆片１５は、折返し片１２と被覆片１５との間に位置する折曲線１３が谷折りにされて、筒状体７の開口８に臨む位置に収納された被収納物Ｄの周面の上端部分および下端部分を被覆するようになっている。これにより、物品保持手段１０は、筒状体７の開口８に臨む位置に収納された被収納物Ｄの上端部分および下端部分を支持して、被収納物Ｄを筒状体７の内部に保持するようになっている。
【００４７】
次に、本実施形態の作用について説明する。
【００４８】
本実施形態によっても、折返し片１２における被覆片１５が連設される両側縁に複数の突出部２１を設け、折返し片１２を突出部２１とともに筒状体７の内部方向に折曲することにより、折返し片１２の両突出部２１も被収納物Ｄの周面に当接することとなるので、被収納物Ｄの周面に当接する折返し片１２の面積を広くすることができる。また、両突出部２１は、折返し片１２の開放端部から離間した位置に形成されており、物品保持手段１０の開放端縁に切込み線を形成することなく、折返し片１２の面積を広くすることができ、かつ折返し片１２が容易に破断してしまうことを防止することができる。
【００４９】
したがって、本実施形態によれば、被収納物Ｄの周面に当接する折返し片１２の面積を広くすることにより、被収納物Ｄの周面によって両突出部２１が形成された折返し片１２を確実に押さえて、折返し片１２が筒状体７の外部に抜け出てしまうことを防止することができるとともに、折返し片１２が容易に破断してしまうことを防止することができるので、カートンの強度が向上し、被収納物Ｄを筒状体７の内部に確実に保持することができる。
【００５０】
また、本実施形態によれば、折返し片１２の両突出部２１は、物品保持手段１０における開放端縁から離間した位置に形成されているので、カートンブランク１の組み立て時において、押圧部材によって折返し片１２および被覆片１５の間に位置する折曲線１３を谷折りするように押圧するにあたり、折返し片１２と被覆片１５との間の押圧可能な連結部分を広く形成することができ、またこの押圧動作によって折返し片１２を従来のように破断させることなく、内部方向に折曲することができる。これにより、本実施形態に係るカートンブランク１も、機械での組み立て適性が向上することとなる。
【００５１】
なお、本考案は前記実施形態に限定されるものではなく、必要に応じて種々変更することが可能である。
【００５２】
例えば、第１の実施形態において、物品保持手段１０は両側壁２Ｂ、２Ｃおよび頂壁２Ａを跨ぐ位置に設けられているが、本考案はこれに限定されず、例えば、両側壁２Ｂ、２Ｃおよび底壁２Ｄを跨ぐ位置に設けてもよく、また両側壁２Ｂ、２Ｃおよび頂壁２Ａを跨ぐ位置と、両側壁２Ｂ、２Ｃおよび底壁２Ｄを跨ぐ位置の両方に設けてもよい。また、本実施形態において、物品保持手段１０における折返し片１２は、各壁パネル２のうち側壁２Ｂ、２Ｃに連設されているが、本考案はこれに限定されるものではなく、他の壁パネル２に連設されていてもよい。ただし、被収納物Ｄが本実施形態のような缶の場合、被収納物Ｄによって折返し片１２を押さえるという観点からは、缶の上面や下面よりも周面によって折返し片１２を押さえる方が確実に押さえることができるので、折返し片１２が側壁２Ｂ、２Ｃに連設されていることが望ましい。
【００５３】
また、各壁パネル２の接続手段や、傾斜壁３７、３８、切取パネル３０、指挿入孔の形状、配置位置、有無等について、本考案は本実施形態に限定されるものではない。
【符号の説明】
【００５４】
１  カートンブランク
２Ａ  頂壁
２Ｂ、２Ｃ  側壁
２Ｄ  底壁
２Ｄａ、２Ｄｂ  底板
７  筒状体
８  開口
９  カートン
１０  物品保持手段
１２  折返し片
１５  被覆片
１７  被覆壁
２０  切込み線
２１  突出部
２３  指挿入孔
２５  折曲片
２９  断続切断線
３０  切取パネル
３１  連結タブ
３５  タブ嵌合開口
３７  傾斜壁
３８  傾斜壁
３９  保持開口
４１  保持タブ
Ｄ  被収納物
【図１】
0003179070.tif 000003
【図２】
0003179070.tif 000004
【図３】
0003179070.tif 000005
【図４】
0003179070.tif 000006
【図５】
0003179070.tif 000007